(57)【要約】【課題】ロールにより提供される長尺の透明フィルム材の連続した処理により生産されるパターン位相差フィルムに関して、この透明フィルム材による基材の不均一な伸縮によるクロストークを低減し、さらには効率良く配置できるようにする。【解決手段】長尺透明フィルム材２を搬送しながら順次処理してパターン位相差フィルム１を作成するパターン位相差フィルムの製造方法において、透過光に位相差を付与する第１の領域と、前記第１の領域とは異なる位相差を透過光に付与する第２の領域とが順次交互設けられた位相差層を前記長尺透明フィルム材２に作成する位相差層の作成工程と、前記位相差層及び前記長尺透明フィルム材の積層体を切断して前記パターン位相差フィルム１を作成する切断工程ＳＰ７とを備える。前記切断工程ＳＰ７は、前記パターン位相差フィルム１の短辺の延長方向が、前記透明フィルム材２の長手方向となるようにして前記積層体を切断する。【選択図】図４
2015184437.tif 000002
【特許請求の範囲】
【請求項１】
長尺透明フィルム材を搬送しながら順次処理してパターン位相差フィルムを作成するパターン位相差フィルムの製造方法において、
透過光に位相差を付与する第１の領域と、前記第１の領域とは異なる位相差を透過光に付与する第２の領域とが順次交互に設けられた位相差層を前記長尺透明フィルム材に作成する位相差層の作成工程と、
前記位相差層及び前記長尺透明フィルム材の積層体を切断して前記パターン位相差フィルムを作成する切断工程とを備え、
前記切断工程は、
前記パターン位相差フィルムの短辺の延長方向が、前記長尺透明フィルム材の長手方向となるようにして前記積層体を切断する
パターン位相差フィルムの製造方法。
【請求項２】
前記長尺透明フィルム材に配向層の作成に供する光配向材料層を作成した後、前記光配向材料層を露光処理して配向層を作成する配向層作成工程を備え、
前記位相差層の作成工程は、
前記配向層の配向規制力により液晶材料が配向して前記位相差層が作成され、
前記配向層作成工程は、
ロータリースクリーン印刷によりマスク層を作成して露光処理することにより、前記第１又は第２の領域に対応する部位を選択的に露光処理して前記配向層を作成する
請求項１に記載のパターン位相差フィルムの製造方法。
【請求項３】
前記長尺透明フィルム材に配向層の作成に供する光配向材料層を作成した後、前記光配向材料層を露光処理して配向層を作成する配向層作成工程を備え、
前記位相差層の作成工程は、
前記配向層の配向規制力により液晶材料が配向して前記位相差層が作成され、
前記配向層作成工程は、
マスクを使用した露光処理により、前記第１又は第２の領域に対応する部位を選択的に露光処理して前記配向層を作成し、
前記長尺透明フィルム材を間欠的に搬送しながら、前記マスクを使用して露光処理を繰り返す
請求項１に記載のパターン位相差フィルムの製造方法。
【発明の詳細な説明】
【技術分野】
【０００１】
本発明は、パッシブ方式による３次元画像表示装置に係るパターン位相差フィルムに関するものである。
【背景技術】
【０００２】
近年、パッシブ方式により３次元画像を表示する画像表示装置が提供されている。ここで図６は、液晶表示パネルを使用したパッシブ方式の画像表示装置を示す概略図である。パッシブ方式の画像表示装置は、垂直方向又は水平方向（この図６の例では、垂直方向）に連続する液晶表示パネルの画素を、順次交互に、右目用及び左目用に割り当て、それぞれ右目用及び左目用の画像データで駆動し、これにより右目用の画像と左目用の画像とを同時に表示する。また液晶表示パネルのパネル面（視聴者側面）にパターン位相差フィルムを配置し、右目用の画素及び左目用の画素からの直線偏光による出射光を、右目用及び左目用で方向の異なる円偏光に変換する。これによりパッシブ方式では、対応する偏光フィルタを備えてなる眼鏡を装着して、右目用の画像と左目用の画像とをそれぞれ選択的に視聴者の右目及び左目に提供し、３次元画像を表示する。
【０００３】
このためパターン位相差フィルムは、液晶表示パネルにおける画素の設定に対応して、遅相軸方向（屈折率が最大となる方向）が直交する２種類の帯状領域が順次交互に形成される。これによりパッシブ方式では、対応する偏光フィルタを備えてなる眼鏡を装着して、右目用の画像と左目用の画像とをそれぞれ選択的に視聴者の右目及び左目に提供する。なおここでこの隣接する帯状領域の遅相軸方向は、通常、水平方向に対して、＋４５度と−４５度の組み合わせ、又は０度と＋９０度の組み合わせが採用される。なおこの図６の例では、通常の画像表示装置における呼称に習って画面の長辺方向を水平方向として示す。
【０００４】
このパッシブ方式は、応答速度の遅い画像表示装置でも適用することができ、さらにパターン位相差フィルムと円偏光メガネとを用いた簡易な構成で３次元表示することができる。なおパッシブ方式の画像表示装置では、図６の例による垂直方向に代えて、水平方向に連続する画素を順次交互に右目用及び左目用に振り分ける方法も採用される。
【０００５】
このパッシブ方式に係るパターン位相差フィルムは、画素の割り当てに対応して透過光に位相差を与えるパターン状の位相差層が必要である。このパターン位相差フィルムに関して、特許文献１には、配向規制力を制御した光配向層をガラス基板上に形成し、この光配向層により液晶の配列をパターンニングして位相差層を作製する方法が開示されている。また特許文献２には、レーザーの照射によりロール版の周側面に微細な凹凸形状を形成し、この凹凸形状を転写してパターン状に配向規制力を制御した配向層を作製する方法が開示されている。
【０００６】
パターン位相差フィルムの製造工程は、ロールにより提供される長尺透明フィルム材を順次処理してパターン位相差フィルムを作成しており、特許文献３等には、この長尺透明フィルム材の搬送方向に延長する複数のスリットを備えてなるマスクを使用した露光処理により、長尺透明フィルム材を搬送しながら光配向膜を作成する方法が開示されている。また特許文献４等には、いわゆるフレキシブルフラットディスプレイに係る長尺フィルム材の処理に関して、この長尺フィルム材を間欠送りして露光処理を繰り返すことにより、この長尺フィルム材に電極パターンを作成する方法が開示されている。
【０００７】
またこのようなパターン位相差フィルムが使用される画像表示パネルは、古くは表示画面（有効表示画面）の幅と高さの数値比率であるアスペクト比が４：３のものが主流であった。しかしながら、近年、アスペクト比が１６：９のものが殆んどである。また画像表示パネルは、インチによる対角線の長さにより表示画面の大きさが表されている。これによりアスペクト比１６：９の４２インチでは、有効表示画面は、横９３ｃｍ、縦５２．３ｃｍとなり、アスペクト比１６：９の１００インチでは、有効表示画面は、横２２１．４０ｃｍ、縦１２４．５０ｃｍとなる。因みに、アスペクト比４：３の場合、有効表示画面は、４６インチで横９３．５ｃｍ、縦７０．１ｃｍとなる。これによりパターン位相差フィルムは、使用される画像表示パネルのインチサイズに応じて、対応する有効表示画面の大きさに、いわゆる額縁の部位の大きさを加算した横長の形状により作製される。なおここで額縁は、画像表示パネルにおいて有効表示領域を囲む黒色枠形状の領域である。
【０００８】
ところでこの種の光学フィルムの製造工程では、ロールにより提供される長尺透明フィルム材を順次処理して所望の光学フィルムを作成しており、この長尺透明フィルム材の熱、応力等による不均一な伸縮を完全には防止し得ない。なおこの光学フィルムの作成に係る長尺透明フィルム材の順次の処理は、光学フィルムの機能を担保するための塗工液の塗布、この塗布した塗工液の加熱乾燥、紫外線の照射等の処理である。またこの種の光学フィルムにおいて、この長尺透明フィルム材への主な応力は、例えば製造各工程で最も適した位置で塗工液を塗布、乾燥し、さらには紫外線照射を行うために長尺透明フィルムに常時加えられている張力であり、長尺透明フィルム材の幅方向の中央部に比して、長尺透明フィルム材の幅方向の端部で大きい。その結果、この種の光学フィルムの製造工程では、ロールによる提供される長尺透明フィルム材の長手方向の長さが、幅方向の端部で、中央部に比して長くなり、長尺透明フィルム材の幅方向の端部において、うねりが発生する場合がある。なおパターン位相差フィルムは、長尺透明フィルム材の長手方向が長辺の延長方向となるように生産されてことにより、このようなうねりはパターン位相差フィルムでは長辺側に発生する。
【０００９】
パターン位相差フィルムは、画像表示パネルの画素ピッチにより右目用と左目用との帯状領域が順次交互に設けられていることにより、このような不均一な伸縮が発生すると種々の不都合が発生する。すなわちパターン位相差フィルムでは、このような不均一な伸縮が発生すると、画像表示パネルに精度良く各帯状領域を配置することが困難になり、その結果、甚だしい場合には、クロストークが発生することになる。なおここでクロストークは、本来、右目及び左目に提供することが必要な右目用画素及び左目用画素からの出射光が、これとは異なり左目及び右目に漏れ込む現象である。この種の画像表示装置において、クロストークが激しくなると画質劣化が著しくなる。具体的に、クロストークにより、表示画像の立体感が損なわれ、著しい場合には、二重写しにより画像が知覚されることになる。またこのような不均一な伸縮が発生すると、画像表示パネルに配置する際のマージンが低下することになり、パターン位相差フィルムを効率良く配置することが困難になる。
【００１０】
特に、このような不均一な収縮によるクロストーク、パターン位相差フィルムの配置に係る作業性の劣化は、表示画面が大きくなると著しくなり、実際上、長辺の長さが１ｍ程度を超えると（アスペクト比１６：９で４２インチ以上である）、クロストークの発生、作業性の劣化が著しくなる。
【先行技術文献】
【特許文献】
【００１１】
【特許文献１】特開２００５−４９８６５号公報
【特許文献２】特開２０１０−１５２２９６号公報
【特許文献３】特開２０１３−５０５７５号公報
【特許文献４】特開２０１１−５９３０７号公報
【発明の概要】
【発明が解決しようとする課題】
【００１２】
本発明はこのような状況に鑑みてなされたものであり、ロールにより提供される長尺の透明フィルム材の連続した処理により生産されるパターン位相差フィルムに関して、この透明フィルム材の不均一な伸縮によるクロストークを低減し、さらにはパターン位相差フィルムを効率良く配置できるようにする。
【課題を解決するための手段】
【００１３】
本発明者は、上記課題を解決するために鋭意研究を重ね、パターン位相差フィルムの短辺の延長する方向が、基材である長尺透明フィルム材の長手方向となるように設定する、との着想に至り、本発明を完成するに至った。
【００１４】
（１）  長尺透明フィルム材を搬送しながら順次処理してパターン位相差フィルムを作成するパターン位相差フィルムの製造方法において、
透過光に位相差を付与する第１の領域と、前記第１の領域とは異なる位相差を透過光に付与する第２の領域とが順次交互に設けられた位相差層を前記長尺透明フィルム材に作成する位相差層の作成工程と、
前記位相差層及び前記長尺透明フィルム材の積層体を切断して前記パターン位相差フィルムを作成する切断工程とを備え、
前記切断工程は、
前記パターン位相差フィルムの短辺の延長方向が、前記長尺透明フィルム材の長手方向となるようにして前記積層体を切断する。
【００１５】
（１）によれば、配向膜作成工程、位相差層作成工程等により順次長尺透明フィルム材を処理してパターン位相差フィルムを作成する場合において、パターン位相差フィルムの長辺の延長する方向が長尺透明フィルム材の長手方向である場合に比して、パターン位相差フィルムにおけるうねりの発生した部位の面積を低減することができる。従ってパターン位相差フィルムの長辺の延長する方向が基材の長手方向である場合に比して、長尺透明フィルム材の不均一な伸縮によるクロストークを低減し、さらにはパターン位相差フィルムを効率良く配置することができる。
【００１６】
（２）  （１）において、
前記長尺透明フィルム材に配向層の作成に供する光配向材料層を作成した後、前記光配向材料層を露光処理して配向層を作成する配向層作成工程を備え、
前記位相差層の作成工程は、
前記配向層の配向規制力により液晶材料が配向して前記位相差層が作成され、
前記配向層作成工程は、
ロータリースクリーン印刷によりマスク層を作成して露光処理することにより、前記第１又は第２の領域に対応する部位を選択的に露光処理して前記配向層を作成する。
【００１７】
（２）によれば、長尺透明フィルム材の幅方向に第１及び第２の領域が延長する場合でも、パターン位相差フィルムの短辺の延長方向が、前記長尺透明フィルム材の長手方向となるように設定することができる。
【００１８】
（３）  （１）において、
前記長尺透明フィルム材に配向層の作成に供する光配向材料層を作成した後、前記光配向材料層を露光処理して配向層を作成する配向層作成工程を備え、
前記位相差層の作成工程は、
前記配向層の配向規制力により液晶材料が配向して前記位相差層が作成され、
前記配向層作成工程は、
マスクを使用した露光処理により、前記第１又は第２の領域に対応する部位を選択的に露光処理して前記配向層を作成し、
前記長尺透明フィルム材を間欠的に搬送しながら、前記マスクを使用して露光処理を繰り返す。
【００１９】
（３）によれば、長尺透明フィルム材の幅方向に第１及び第２の領域が延長する場合でも、パターン位相差フィルムの短辺の延長方向が、前記長尺透明フィルム材の長手方向となるように設定することができる。
【発明の効果】
【００２０】
本発明は、ロールにより提供される長尺の長尺透明フィルム材の連続した処理により生産されるパターン位相差フィルムに関して、この長尺透明フィルム材の不均一な伸縮によるクロストークを低減し、さらにはパターン位相差フィルムを効率良くすることができる。特に、このような長尺透明フィルム材の不均一な伸縮によるクロストーク等は、画面サイズが４２インチを超えると著しくなる。従って本発明は、特に、４２インチ以上の大画面による画像表示装置パネルに関して、長尺透明フィルム材の不均一な伸縮によるクロストークを低減し、さらにはパターン位相差フィルムを効率良く配置することができる。
【図面の簡単な説明】
【００２１】
【図１】本発明の第１実施形態に係るパターン位相差フィルムの説明に供する図である。
【図２】図１のパターン位相差フィルムの製造工程を示すフローチャートである。
【図３】図１のパターン位相差フィルムの露光工程の説明に供する図である。
【図４】第１実施形態に係る切断工程の説明に供する図である。
【図５】第２実施形態に係る露光工程と切断工程との説明に供する図である。
【図６】パッシブ方式による３次元画像表示の説明に供する図である。
【発明を実施するための形態】
【００２２】
〔第１実施形態〕
図１は、本発明の第１実施形態に係る画像表示装置に適用されるパターン位相差フィルムを示す図である。この第１実施形態に係る画像表示装置は、垂直方向（図１においては左右方向が対応する方向である）に連続する液晶表示パネルの画素が、順次交互に、右目用の画像を表示する右目用画素、左目用の画像を表示する左目用画素に振り分けられて、それぞれ右目用及び左目用の画像データで駆動される。これにより画像表示装置は、右目用の画像を表示する帯状の領域と、左目用の画像を表示する帯状の領域とに表示画面が交互に区分され、右目用の画像と左目用の画像とを同時に表示する。この画像表示装置は、この液晶表示パネルのパネル面（視聴者側面）に、パターン位相差フィルム１が配置され、このパターン位相差フィルム１により右目用及び左目用の画素からの出射光にそれぞれ対応する位相差を与える。これによりこの画像表示装置は、パッシブ方式により所望の立体画像を表示する。
【００２３】
ここでパターン位相差フィルム１は、ＴＡＣ（トリアセチルセルロース）、アクリル、シクロオレフィンポリマー等の長尺透明フィルム材からなる基材２の一方の面上に、配向層３、位相差層４、感圧粘着剤による粘着剤層５、セパレータフィルム６が順次設けられる。パターン位相差フィルム１は、セパレータフィルム６を引き剥がして粘着剤層５を露出させた後、この粘着剤層５により液晶表示パネルに係る直線偏光板に貼り付けられる。パターン位相差フィルムは、その後、この直線偏光板と一体に画像表示パネルのパネル面に貼り付けられることにより、画像表示パネルのパネル面に配置される。なお基材２は、種々の透明フィルム材を広く適用することができるものの、光学的等方性に優れ、光学的特性に優れたＴＡＣのフィルム材を適用することが好ましい。粘着剤層５は、例えばアクリル系粘着剤等、この種の光学フィルムの貼り合せに使用する各種の粘着剤を適用することができる。セパレータフィルム６は、この実施形態では、後工程での透過光による光学特性（欠陥）の検査の妨げにならないように、透明であって、かつ配向性の小さなフィルムが適用される。より具体的に、ポリエチレンフィルム、ＰＥＴ（Polyethylene  terephthalate）フィルム等を適用することができる。
【００２４】
パターン位相差フィルム１は、屈折率異方性を保持した状態で固化（硬化）された液晶材料により位相差層４が形成され、この液晶材料の配向を配向層３の配向規制力によりパターンニングする。なおこの液晶分子の配向を図１では細長い楕円により誇張して示す。このパターンニングにより、パターン位相差フィルム１は、液晶表示パネルにおける画素の割り当てに対応して、一定の幅により、右目用の領域（第１の領域である）Ａと左目用の領域（第２の領域である）Ｂとが順次交互に帯状に形成され、右目用及び左目用の画素からの出射光にそれぞれ対応する位相差を与える。
【００２５】
パターン位相差フィルム１は、光配向材料により光配向材料層が作製された後、この光配向材料層に直線偏光による紫外線を照射し、これにより光配向の手法を適用して配向層３が形成される。ここでこの光配向材料層に照射する紫外線は、その偏光の方向が右目用の領域Ａと左目用の領域Ｂとで９０度異なるように設定され、これにより位相差層４に設けられる液晶材料に関して、右目用の領域Ａと左目用の領域Ｂとで対応する向きに液晶分子を配向させ、透過光に対応する位相差を与える。なお光配向材料は、光配向の手法を適用可能な各種の材料を適用することができるものの、この実施形態では、一旦配向した後には、紫外線の照射によって配向が変化しない、例えば光２量化型の材料を使用する。なおこの光２量化型の材料については、「M.Schadt,  K.Schmitt,  V.  Kozinkov  and  V.  Chigrinov  :  Jpn.  J.  Appl.Phys.,  31,  2155  (1992)」、「M.  Schadt,  H.  Seiberle  and  A.  Schuster  :  Nature,  381,  212  (1996)」等に開示されており、例えば「ROP-103」（Rolic  technologies  Ltd.社製）の商品名により既に市販されている。
【００２６】
さらにこの実施形態において、パターン位相差フィルム１は、基材２の他方の面に、反射防止層７、保護フィルム８が順次設けられる。ここで反射防止層７は、外光の写り込みによる視認性の劣化を防止するための防眩性ハードコート層と、いわゆるクリア系反射防止表面材の塗布により白っぽさを低減してコントラストを向上させる低反射層との積層により構成され、これによりこの実施形態では透明感を確保して反射率を低減し、高品位の画像を表示する。
【００２７】
保護フィルム８は、生産過程、搬送過程等において、パターン位相差フィルム１の傷つきを防止するために配置される。保護フィルム８は、この実施形態では、後工程での透過光による光学特性（欠陥）の検査の妨げにならないように、透明であって、かつ配向性の小さなフィルムが適用される。より具体的に、ポリエチレンフィルム、ＰＥＴ（Polyethylene  terephthalate）フィルム等を適用することができる。
【００２８】
〔位相差層〕
位相差層４は、重合性液晶組成物を含有する。この重合性液晶組成物は、液晶性を示し分子内に重合性官能基を有する液晶化合物（以下、「棒状化合物」ともいう。）のほか、アンチブロッキング剤等を含有させることができる。
【００２９】
棒状化合物は、屈折率異方性を有し、配向層３の配向規制力により規則的に配列することにより、所望の位相差性を付与する機能を有する。棒状化合物として、例えば、ネマチック相、スメクチック相等の液晶相を示す材料が挙げられるが、他の液晶相を示す液晶化合物と比較して規則的に配列させることが容易である点で、ネマチック相を示す棒状化合物を用いることがより好ましい。
【００３０】
本実施形態において用いられる棒状化合物の具体例としては、例えば、下記式（１）〜（１６）で表される化合物を例示できる。
【００３１】
【化１】
2015184437.tif 000003
2015184437.tif 000004
【００３２】
〔製造工程〕
図２は、このパターン位相差フィルム１の製造工程を示すフローチャートである。パターン位相差フィルム１の製造工程は、この図２に示す処理工程により長尺透明フィルム材を順次処理してパターン位相差フィルムを生産する。ここでこの製造工程は、ロールに巻き取った長尺透明フィルム材により基材２が提供され、反射防止層作成工程ＳＰ２において、基材２の表面処理により、基材２に防眩性ハードコート層、低反射層が順次作成されて反射防止層７が作成される。なお低反射層にあっては、防眩性ハードコート層、低反射層に係る各種の構成を広く適用することができる。製造工程では、このようにして反射防止層を作成してなる基材が、一旦、ロールに巻き取られて次工程に供給される。なお基材２は、例えば幅１３００ｍｍ、長さ２０００ｍのロールにより提供される。
【００３３】
製造工程では、この次工程に係る続く配向層作成工程ＳＰ３において、光配膜に係る塗工液がダイ等により塗布された後、乾燥、焼成され、これにより光配向材料層が作製される。続いてこの配向層作成工程ＳＰ３は、露光工程により紫外線を照射して光配向層が作製される。ここで露光工程では、マスクを使用した直線偏光による紫外線の照射により、右目用領域又は左目用領域に対応する領域を選択的に露光処理した後、偏光方向が直交する直線偏光による紫外線を全面に照射することにより、実行される。
【００３４】
続いてこの製造工程は、位相差層作製工程ＳＰ４において、ダイ等により液晶材料の塗工液を塗工、乾燥させた後、紫外線の照射によりこの液晶材料を硬化させ、位相差層４が作製される。製造工程は、続く保護フィルム配置工程ＳＰ５において、保護フィルム８が配置される。また続く粘着剤層作成工程ＳＰ６において、粘着剤層５、セパレータフィルム６を配置する。また続く切断工程ＳＰ７において、所望の大きさに切り出してパターン位相差フィルム１が作製される。なお上述したように、基材２は、幅１３００ｍｍにより提供されることにより、切断工程ＳＰ７では、生産するパターン位相差フィルムのインチサイズによっては、幅方向に基材２を複数に分割した後、所望の大きさに切りだし、これによりいわゆる多面取りによりパターン位相差フィルムを生産する。この製造工程は、続く検査工程ＳＰ８において、欠陥、外観等が検査される。
【００３５】
パターン位相差フィルム１は、その後、セパレータフィルムを剥離して粘着剤層５により直線偏光板に貼り付けられ、これによりパターン位相差フィルム１と直線偏光板とを積層した光学フィルムが作成される。画像表示装置は、この光学フィルムが画像表示パネルのパネル面に配置されて３次元表示可能に構成される。
【００３６】
図３は、露光工程の詳細を示す図である。この製造工程は、右目用の領域Ａ又は光目用の領域Ｂに対応する部位を遮光したマスク１６を介して、直線偏光による紫外線（偏光紫外線）を照射することにより、遮光されていない側の、左目用の領域Ｂ又は右目用の領域Ａについて、光配向材料膜を所望の方向に配向させる（図３（Ａ））。これによりこの製造工程は、１回目の露光処理を実行する。続いてこの製造工程は、１回目の露光処理とは偏光方向が９０度異なる直線偏光により全面に紫外線を照射し、これにより１回目の露光処理で未露光の右目用領域Ａ又は左目用領域Ｂを露光処理し、右目用の領域Ａ又は左目用の領域Ｂについて、光配向材料膜を所望の方向に配向させる（図４（Ｂ））。これによりこの製造工程では、２回の露光処理により、右目用の領域Ａと左目用の領域Ｂとを順次露光処理して配向層３を作製する。
【００３７】
ここで上述した製造工程ではロールにより提供される長尺透明フィルム材による基材２を搬送しながら順次処理してパターン位相差フィルム１を作成しており、この搬送処理過程における応力、熱等により基材２に不均一な伸縮が発生し、その結果、基材２の幅方向の端部にうねりが発生する場合がある。
【００３８】
そこでこの実施形態では、図４（Ｂ）により示すように、パターン位相差フィルム１の短辺の延長する方向が、基材２の長手方向となるように設定する。ここで基材２の不均一な収縮によるうねりは、基材２の幅方向の端部に発生することにより、パターン位相差フィルムの短辺の延長する方向が基材の長手方向となるように設定すれば、パターン位相差フィルムの長辺の延長する方向が基材の長手方向である場合（図４（Ａ）により示す）に比して、パターン位相差フィルムに占めるうねりの発生した部位の面積を低減することができる。従ってパターン位相差フィルムの長辺の延長する方向が基材の長手方向である場合に比して、長尺透明フィルム材の不均一な伸縮によるクロストークを低減し、さらにはパターン位相差フィルムを効率良く配置することができる。
【００３９】
このためこの実施形態では、図４（Ｂ）により示すように、基材２の幅方向に右目用領域及び左目用領域が延長するように配向層、位相差層が作成され、切断工程ＳＰ７において、基材２の幅方向がパターン位相差フィルム１の長手方向となるように切断され、これによりパターン位相差フィルム１の短辺の延長する方向が、基材の長手方向となるように、パターン位相差フィルムを作成する。
【００４０】
より具体的に、この実施形態では、ロータリースクリーン印刷により光配向材料層の表面にマスク層を作成して第１回目の露光処理を実行することにより、右目用領域又は左目用領域を選択的に露光処理する。また続いて、マスク層を除去して２回目の露光処理により全面を露光処理する。このためマスク層は、基材２の幅方向に延長する遮光部の繰り返しにより作製され、このマスク層が図３について上述したマスク１６を構成することになる。またロータリースクリーン印刷は、円筒形状によりスクリーンを作製し、このスクリーンの内側にスキージを配置して実行するスクリーン印刷である。
【００４１】
この実施形態では、パターン位相差フィルムの短辺の延長する方向が、基材である長尺透明フィルム材の長手方向となるように設定することにより、従来に比して長尺透明フィルム材の不均一な伸縮によるクロストークを低減し、さらには効率良く配置できる。特に、長尺透明フィルム材の不均一な伸縮によるクロストーク等は、画面サイズが４２インチを超えると著しくなる。従って本発明は、特に、４２インチ以上の大画面による画像表示装置パネルに関して、長尺透明フィルム材の不均一な伸縮によるクロストークを低減し、さらにはパターン位相差フィルムを効率良く配置することができる。
【００４２】
〔第２実施形態〕
この実施形態では、図５に示すように、基材２を間欠送りして、基材２に対向するように保持したマスク１６を使用した露光処理を繰り返すことにより、基材２の幅方向が右目用領域及び左目用領域の延長方向となるように露光処理する。この実施形態では、この露光処理に関する構成が異なる点を除いて第１実施形態と同一に構成される。
【００４３】
すなわちこの実施形態において、製造工程は、配向膜作成工程ＳＰ３の露光工程におけるマスクを使用した１回目の露光工程において、パターン位相差フィルム１の短辺の長さを単位にして間欠的に基材２を搬送する。またこの間欠的な基材２の搬送に同期して光源からマスク１６への紫外線の射出を一時的に停止制御し、これによりマスクを使用した露光処理を繰り返す。この１回目の露光処理に係るマスク１６は、基材２の幅方向に延長するスリットＳが、スリットＳの延長方向と直交する方向に繰り返されて作成され、間欠送りする基材２に対向するように、基材２に近接して配置される。またこのようにして１回目の露光処理を実行した後、２回目の露光処理により全面に紫外線を照射する。これにより製造工程は、基材２の幅方向に、パターン位相差フィルム１の右目用の領域及び左目用の領域が延長するように、基材２を露光処理する。
【００４４】
製造工程は、続いて位相差層等を作成した後、切断工程ＳＰ７において、基材２の幅方向がパターン位相差フィルム１の長手方向となるように切断し、これによりパターン位相差フィルム１の短辺の延長する方向が、基材の長手方向となるように、パターン位相差フィルムを作成する。
【００４５】
〔他の実施形態〕
以上、本発明の実施に好適な具体的な構成を詳述したが、本発明は、本発明の趣旨を逸脱しない範囲で、上述の実施形態の構成を種々に組み合わせたり、変更することができる。
【００４６】
すなわち上述の実施形態では、マスクを使用して１回目の露光処理を実行した後、２回目の露光処理で全面に紫外線を照射する場合について述べたが、本発明はこれに限らず、１回目の露光処理で全面に紫外線を照射した後、２回目の露光処理でマスクを使用して露光処理する場合、１回目及び２回目の双方でマスクを使用して露光処理する場合にも広く適用することができる。なお１回目の露光処理で全面に紫外線を照射した後、２回目の露光処理でマスクを使用して露光処理する場合、配向層３には、繰り返しの露光処理により配向方向がその都度変化する材料が適用される。このような材料としては、例えば、光異性化反応型の光配向材料を使うことができる。なお光異性化に関しては、「W.M.  Gibbons,  P.J.Shannon,  S.T.  Sun  and  B.J.  Swetlin  :  Nature,  351,  49  (1991)」で報告されている。
【００４７】
また上述の実施形態では、ロータリースクリーン印刷によりマスク層を作成して露光処理する場合、間欠送りにより基材を搬送してマスクにより露光処理を繰り返す場合について述べたが、本発明はこれに限らず、露光処理方法にあっては、例えば基材の搬送に同期してマスクを搬送しながら露光処理する場合等、種々の方法を広く適用することができる。  
【００４８】
また上述の実施形態では、パターン位相差フィルムに粘着剤層、セパレータフィルムを設ける場合について述べたが、本発明はこれに限らず、直線偏光板との貼り合せの際に、直線偏光板又はパターン位相差フィルムに接着層を設ける場合等にも広く適用することができる。
【００４９】
また上述の実施形態では、光配向層により配向層を作製する場合について述べたが、本発明はこれに限らず、ラビング処理痕の賦型処理により配向層を作製する場合にも広く適用することができる。
【符号の説明】
【００５０】
１  パターン位相差フィルム
２  基材
３  配向層
４  位相差層
５  粘着剤層
６  セパレータフィルム
７  反射防止層
８  保護フィルム
１６  マスク
【図１】
2015184437.tif 000005
【図２】
2015184437.tif 000006
【図３】
2015184437.tif 000007
【図４】
2015184437.tif 000008
【図５】
2015184437.tif 000009
【図６】
2015184437.tif 000010